(57)【要約】【課題】製品長手方向Ｌの中央から後方に向かって製品幅方向に大きく広がる形状を有している後方フラップ５０が設けられている場合であっても、より確実に下着に装着する。【解決手段】本発明に係る吸収性物品１は、液透過性の表面シート１１と、液不透過性の裏面シート１２と、表面シート１１と裏面シート１２との間に配置される吸収体７とを有する吸収性本体３と、吸収体本体３の製品幅方向Ｗの外側縁部３Ｅから延出し、着用者の臀部を覆うように構成されている後方フラップ５０とを具備し、後方フラップ５０の非肌当接面側Ｓ２表面には、粘着剤が塗布されている複数の粘着領域８１/８２が設けられており、複数の粘着領域８の各々は、製品長手方向Ｌに延びており、複数の粘着領域８には、製品長手方向Ｌの長さの異なる少なくとも２種類の粘着領域８１/８２が含まれる。【選択図】図２
2014223216.tif 000002
【特許請求の範囲】
【請求項１】
製品長手方向と、前記製品長手方向と直交する製品幅方向とを有し、
液透過性の表面シートと、液不透過性の裏面シートと、前記表面シートと前記裏面シートとの間に配置される吸収体とを有する吸収性本体と、
前記吸収体本体の前記製品幅方向の外側縁部から延出し、着用者の臀部を覆うように構成されている後方フラップとを具備している吸収性物品であって、
前記後方フラップの非肌当接面側表面には、粘着剤が塗布されている複数の粘着領域が設けられており、
前記複数の粘着領域の各々は、前記製品長手方向に延びており、
前記複数の粘着領域には、前記製品長手方向の長さの異なる少なくとも２種類の粘着領域が含まれることを特徴とする吸収性物品。
【請求項２】
前記複数の粘着領域のうち、第１粘着領域の前記製品長手方向における長さは、前記第１粘着領域よりも前記製品幅方向の外側に設けられている第２粘着領域の前記製品長手方向における長さよりも長くなるように構成されていることを特徴とする請求項１に記載の吸収性物品。
【請求項３】
前記第１粘着領域の前記製品幅方向における長さは、前記第２粘着領域の前記製品幅方向における長さよりも長くなるように構成されていることを特徴とする請求項２に記載の吸収性物品。
【請求項４】
前記第２粘着領域の目付は、前記第１粘着領域の目付よりも高くなるように構成されていることを特徴とする請求項３に記載の吸収性物品。
【請求項５】
前記複数の粘着領域の少なくとも２つは、前記製品幅方向に離間して設けられていることを特徴とする請求項１乃至４のいずれか一項に記載の吸収性物品。
【請求項６】
前記複数の粘着領域は、前記後方フラップにおいて前記吸収性物品を折り畳むための折り線が形成されている領域以外の領域に設けられていることを特徴とする請求項１乃至５のいずれか一項に記載の吸収性物品。
【請求項７】
前記後方フラップは、前記製品幅方向の外側に向けて湾曲するように形成されており、
前記複数の粘着領域の中で前記製品幅方向の最も外側に配置されている粘着領域は、前記後方フラップ部において前記製品幅方向における長さが最も長い部分である最大幅部の前記製品幅方向の内側に設けられていることを特徴とする請求項１乃至６のいずれか一項に記載の吸収性物品。
【請求項８】
前記吸収性本体には、伸縮性を有する伸縮部材を備える一対のギャザーが、前記製品長手方向に沿って延びるように設けられており、
前記複数の粘着領域のうちの少なくとも１つにおける前記製品長手方向の前方側端部は、前記ギャザーにおける前記製品長手方向の後方側端部よりも、前記製品長手方向の前方側に位置するように構成されていることを特徴とする請求項１乃至７のいずれか一項に記載の吸収性物品。
【請求項９】
前記後方フラップには、圧搾部が、前記粘着領域と重複しないように形成されていることを特徴とする請求項１乃至８のいずれか一項に記載の吸収性物品。
【請求項１０】
前記後方フラップには、前記製品長手方向の後方側に向かうに連れて、前記製品幅方向の内側から前記製品幅方向の外側に向かって延びるように構成されている圧搾部が形成されており、
前記粘着領域は、前記圧搾部よりも、前記製品長手方向の後方側に配置されていることを特徴とする請求項１乃至８のいずれか一項に記載の吸収性物品。
【発明の詳細な説明】
【技術分野】
【０００１】
本発明は、吸収性物品に関し、特に、着用者の臀部を覆うための後方フラップ部を備える吸収性物品に関する。
【背景技術】
【０００２】
従来、生理用ナプキン等の吸収性物品として、液透過性の表面シートと、液不透過性の裏面シートと、表面シートと裏面シートとの間に設けられる吸収体とを備える吸収性本体を備え、かかる吸収性本体の両側部において、フラップが設けられている吸収性物品が知られている。
【０００３】
具体的には、製品幅方向の外側に延出する折返しフラップと、かかる折返しフラップよりも製品長手方向の後方側において、製品幅方向の外側に延出する後方フラップとを設けた吸収性物品が知られている（例えば、特許文献１参照）。
【０００４】
折返しフラップ及び後方フラップは、下着側表面に粘着剤を塗布した長方形状の粘着領域を有しており、かかる粘着領域によって、かかる吸収性物品は、着用者の下着に固定される。
【０００５】
具体的に、着用者は、かかる吸収性物品を下着に装着する際、折返しフラップを、下着のクロッチ部の非肌当接面側に折返して、折返しフラップに設けられている粘着領域を介して下着に固定する。
【０００６】
また、着用者は、後方フラップを、後方フラップに設けられている粘着領域を介して下着の後身頃の肌当接面側に固定する。
【先行技術文献】
【特許文献】
【０００７】
【特許文献１】特開２００５−１７７０８７号公報
【発明の概要】
【発明が解決しようとする課題】
【０００８】
ところで、従来技術に係る吸収性物品では、後方フラップは、製品長手方向の中央から後方に向かって製品幅方向に大きく広がる形状を有している。
【０００９】
一般的に、かかる吸収性物品の製造工程では、搬送されている資材に対する粘着剤の塗布を、所定場所における粘着剤の塗出のＯＮ/ＯＦＦのコントロールによって行うことが容易であるため、粘着剤が塗布されている粘着領域の形状は、長方形となるケースが多い。
【００１０】
ここで、製品長手方向の中央から後方に向かって製品幅方向に大きく広がる形状を有している後方フラップに対して、長方形の粘着領域を形成すると、後方フラップの製品幅方向の外側或いは製品長手方向の前方側に、粘着剤が塗布されていない領域が形成されてしまうため、後方フラップが下着に十分に固定されず、吸収性物品が下着からずれやすくなるという問題点があった。
【００１１】
そこで、本発明は、上述した課題を解決するためになされたものであり、製品長手方向の中央から後方に向かって製品幅方向に大きく広がる形状を有している後方フラップが設けられている場合であっても、より確実に下着に装着することができる吸収性物品を提供することを目的とする。
【課題を解決するための手段】
【００１２】
本発明の第１の特徴は、製品長手方向と、前記製品長手方向と直交する製品幅方向とを有し、液透過性の表面シートと、液不透過性の裏面シートと、前記表面シートと前記裏面シートとの間に配置される吸収体とを有する吸収性本体と、前記吸収体本体の前記製品幅方向の外側縁部から延出し、着用者の臀部を覆うように構成されている後方フラップとを具備している吸収性物品であって、前記後方フラップの下着側表面には、粘着剤が塗布されている複数の粘着領域が設けられており、前記複数の粘着領域の各々は、前記製品長手方向に延びており、前記複数の粘着領域には、前記製品長手方向の長さの異なる少なくとも２種類の粘着領域が含まれることを要旨とする。
【発明の効果】
【００１３】
本発明の特徴によれば、製品長手方向の中央から後方に向かって製品幅方向に大きく広がる形状を有している後方フラップが設けられている場合であっても、より確実に下着に装着することができる吸収性物品を提供することができる。
【図面の簡単な説明】
【００１４】
【図１】本発明の第１の実施形態に係る吸収性物品の肌当接面側から見た平面図である。
【図２】本発明の第１の実施形態に係る吸収性物品の非肌当接面側から見た平面図である。
【図３】本発明の第１の実施形態に係る吸収性物品の非肌当接面側から見た平面図における領域Ａの拡大図である。
【図４】本発明の第１の実施形態に係る吸収性物品の非肌当接面側から見た平面図における領域Ａの拡大図におけるＸ-Ｘ断面図である。
【図５】本発明の第１の実施形態に係る吸収性物品の非肌当接面側から見た平面図における領域Ａの拡大図である。
【図６】本発明の第１の実施形態に係る吸収性物品の非肌当接面側から見た平面図における領域Ａの拡大図である。
【図７】本発明の第１の実施形態に係る吸収性物品の非肌当接面側から見た平面図における領域Ａの拡大図である。
【発明を実施するための形態】
【００１５】
図１乃至図７を参照して、本発明の第１の実施形態に係る吸収性物品１について説明する。
【００１６】
なお、以下の図面の記載において、同一又は類似の部分には、同一又は類似の符号を付している。ただし、図面は模式的なものであり、各寸法の比率等は現実のものとは異なることに留意すべきである。
【００１７】
したがって、具体的な寸法等は、以下の説明を参酌して判断すべきである。また、図面相互間においても互いの寸法の関係や比率が異なる部分が含まれ得る。
【００１８】
図１に、本実施形態に係る吸収性物品１の肌当接面側から見た平面図を示し、図２に、本実施形態に係る吸収性物品１の非肌当接面側から見た平面図を示し、図３、図５乃至図７に、図２における領域Ａの拡大図を示し、図４に、図３におけるＸ-Ｘ断面図を示す。
【００１９】
本実施形態に係る吸収性物品１は、例えば、パンティライナーや失禁パッドや生理用ナプキン（昼用及び夜用）等である。以下、本実施形態では、吸収性物品１として、夜用の生理用ナプキンを例に挙げて説明するが、本発明は、かかる例に限定されるものではない。
【００２０】
図１及び図２に示すように、本実施形態に係る吸収性物品１は、製品長手方向Ｌ、及び、製品長手方向Ｌに直交する製品幅方向Ｗを有している。
【００２１】
また、図１に示すように、本実施形態に係る吸収性物品１は、吸収性本体３と、一対の折り返しフラップ（ウィング）４０と、一対の後方フラップ（ヒップフラップ）５０とを具備している。
【００２２】
吸収体本体３は、液透過性の表面シート１１と、液不透過性の裏面シート１２と、表面シート１１と裏面シート１２との間に配置される吸収体７とを有する。
【００２３】
表面シート１１としては、織布、不織布或いは有孔プラスチックシート等の液体を透過する構造のシート状材料であれば、特に限定することなく使用することができる。
【００２４】
織布及び不織布の素材としては、天然繊維及び化学繊維のいずれも使用することができる。ここで、天然繊維の例としては、粉砕パルプやコットン等のセルロースが挙げられる。一方、化学繊維の例としては、レーヨン、フィブリルレーヨン等の再生セルロース、アセテート、トリアセテート等の半合成セルロース、熱可塑性疎水性化学繊維、若しくは、親水化処理を施した熱可塑性疎水性化学繊維が挙げられる。
【００２５】
熱可塑性疎水性化学繊維としては、ＰＥ（ポリエチレン）やＰＰ（ポリプロピレン）やＰＥＴ（ポリエチレンテレフタレート）等の単繊維、ＰＥ及びＰＰをグラフト重合してなる繊維、芯鞘構造等の複合繊維が挙げられる。
【００２６】
なお、不織布におけるウェブフォーミングは、乾式（カード法やスパンポンド法やメルトブローン法やエアレイド法等）や湿式等のいずれか又は複数を組み合わせたものによって行われてもよい。また、不織布におけるボンディングの方法としては、サーバルボンディングやニードルパンチやケミカルボンディング等の方法が挙げられるが、これらの方法に限定されるものではない。また、不織布として、水流交絡法によりシート状に形成されたスパンレースを用いてもよい。
【００２７】
有孔プラスチックシートとしては、ＰＥやＰＰやＰＥＴといった熱可塑性樹脂の有孔シートや、多孔質の発泡材等を用いることができる。また、これらについては、必要に応じて、酸化チタンや炭酸カルシウム等からなるフィラーを０.５〜１０％の範囲で混入することにより、白濁化させて使用することも好ましい。また、熱可塑性樹脂からなるフィルムを、ヒートエンボス加工や機械加工等により開孔した有孔フィルムを使用してもよい。有孔フィルムは、不織布との複合シートとして使用されてもよい。
【００２８】
裏面シート１２としては、ＰＥ（融点１３０度近辺）を主体としたフィルムや、炭酸カルシウムや硫酸バリウムを含む通気フィルム等を用いることができる。
【００２９】
吸収体７は、吸収体コアを、例えば、ティッシュ又はＳＭＳ等の不織布からなるコアラップシートによって挟み込むことによって構成されている。
【００３０】
吸収体コアの材料としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、若しくは、親水化処理を施した熱可塑性疎水性化学繊維、ケミカルボンド処理が施されたエアレイドパルプ等を、単独又は混合して用いることができる。
【００３１】
これらの材料から吸収体コアに成形する方法は、特に限定されるものではないが、かかる方法として、例えば、エアレイド法やメルトブローン法やスパンレース法や抄紙法等によってシート化する方法が挙げられる。
【００３２】
また、吸収体コアの材料として、セルロース発泡体、合成樹脂の連続発泡体等を用いることもできる。さらに、吸収体コア２Ａの材料として、上述の発泡体又はシート化された材料を粉砕した後に成形したものを用いることもできる。
【００３３】
さらに、吸収体７として、厚さが０.３〜５ｍｍの吸収シートやポリマーシートによって構成されている薄型吸収体を用いることもできる。ここで、かかる吸収シートやポリマーシートとしては、通常の生理用ナプキン等の吸収性物品に用いられるものを特に制限することなく用いることができる。
【００３４】
例えば、吸収シートとしては、吸収紙、不織布、繊維をバインダー等でシート化したパルプシート等が挙げられ、ポリマーシートとしては、粉砕パルプ、繊維に粒子状ポリマーを混合してシート状に形成したもの等が挙げられる。なお、繊維に粒子状ポリマーを混合してシート状に形成したものとしては、粒子状ポリマーが層状に分配されているもの、粒子状ポリマーが三次元上に分散されているもののいずれも用いることができる。
【００３５】
ここで、吸収シートを形成する材料及びポリマーシートに用いられる繊維としては、木材パルプ等のセルロース繊維、レーヨン、キュプラ等の再生セルロース繊維、ポリビニルアルコール繊維やポリアクリロニトリル繊維等の親水性合成繊維、若しくは、界面活性剤等で繊維表面を親水化したポリエチレン、ポリプロピレン、ポリエチレンテレフタレート、ポリエチレン/ポリプロピレン複合繊維、ポリエチレン/ポリエチレンテレフタレート複合繊維を用いることが好ましく、親水性が良好に維持される点から、セルロース繊維を用いることがより好ましい。
【００３６】
ポリマーシートに用いられる粒子状ポリマーとしては、自重の２０倍以上の液体を吸収及び保持でき且つゲル化し得るものを用いることが好ましい。かかる粒子状ポリマーの例としては、デンプンや架橋カルボキシメチル化セルロース、ポリアクリル酸及びその塩、並びに、ポリアクリル酸塩グラフト重合体等を挙げることができる。
【００３７】
また、図１及び図４に示すように、吸収体本体３において、表面シート１１及び吸収体７を圧搾して一体化するように構成されている圧搾部５が形成されている。
【００３８】
折り返しフラップ４０の各々は、吸収体本体３の製品幅方向Ｗの外側縁部３Ｅから延出するように構成されている。かかる折り返しフラップ４０の各々は、下着に巻き込まれて固定されるように構成されている。
【００３９】
また、後方フラップ５０の各々は、折り返しフラップ４０の各々よりも製品長手方向Ｌの後方Ｂに位置しており、吸収体本体３の製品幅方向Ｗの外側縁部３Ｅから延出するように構成されている。
【００４０】
かかる後方フラップ５０の各々は、下着に固定されて着用者の臀部を覆うように構成されている。具体的には、図１乃至図３に示すように、後方フラップ５０は、製品幅方向Ｗの外側に向けて湾曲するように形成されている。
【００４１】
また、図１に示すように、後方フラップ５０において、圧搾部２１/２２/２３が形成されている。圧搾部２１/２２/２３は、図１に示すように、連続する線状のパターンを有していてもよいし、点状のパターン等の間欠のパターンを有していてもよい。
【００４２】
なお、吸収性物品１の外周を囲むように、圧搾部が設けられていてもよい（図示せず）。
【００４３】
ここで、圧搾部２１の製品幅方向Ｗの外側端部は、折り返しフラップ４０の製品長手方向Ｌの後方側Ｂの根元部分に該当する括れ部６１の周辺に位置するように構成されている。
【００４４】
また、圧搾部２２の製品幅方向Ｗの外側端部は、後方フラップ５０において形成されている括れ部６２の周辺に位置するように構成されており、圧搾部２３の製品幅方向Ｗの外側端部は、後方フラップ５０において形成されている括れ部６３の周辺に位置するように構成されている。
【００４５】
図１に示すように、圧搾部２２/２３は、製品長手方向Ｌの後方側Ｂに向かうに連れて、製品幅方向Ｗの内側から製品幅方向Ｗの外側に向かって延びるように構成されていてもよい。
【００４６】
かかる構成によれば、吸収性物品１が、着用者の両脚で挟まれた際に、後方フラップ５０の変形が、吸収性物品１全体に伝わりにくくなる。
【００４７】
ここで、折り返しフラップ４０及び後方フラップ５０の各々は、図４に示すように、サイドシート１３と、裏面シート１２と、サイドシート１３と裏面シート１２との間に配置される中間シート１４とによって形成されている。
【００４８】
ここで、サイドシート１３は、例えば、表面シート１１や中間シート１４と同様の材料によって構成されていてもよい。ただし、サイドシート１３を乗り越えて吸収性物品１の製品幅方向Ｗの外側に経血が流れ出ることを防止するために、サイドシート１３は、疎水性又は撥水性を有する材料によって構成されることが好ましい。
【００４９】
具体的には、サイドシート１３として、スパンボンド不織布やＳＭＳ不織布やエアスルー不織布等を用いることができる。ここで、エアスルー不織布は、比較的低い目付で嵩高であるため、サイドシート１３としてエアスルー不織布を用いた場合、風合いが良くなる（すなわち、使用感が良くなる）。また、エアスルー不織布では、主に繊維が芯鞘構造であり、鞘がＰＥによって構成されているため、比較的低い温度でエンボス加工を施すことができる。
【００５０】
中間シート１４は、折り返しフラップ４０及び後方フラップ５０のほぼ全面を覆うように配置されている。また、中間シート１４の製品幅方向Ｗの内側端部は、吸収体７の製品幅方向Ｗの外側端部よりも、製品幅方向Ｗの外側に配置されるように構成されている。
【００５１】
ここで、中間シート１４は、裏面シート１２とは融点の異なる繊維（例えば、ＳＭＳ不織布）によって構成されている。
【００５２】
例えば、中間シート１４は、ＰＰ（融点１６０度近辺）主体のＳＭＳやＳＢによって構成されていてもよい。ここで、かかるＳＭＳやＳＢは、柔軟性やコストの面で優れており、表面をエンボスで平滑になされているので、表面シート１１や裏面シート１２と樹脂の異なる材料で形成されていても、粘着剤にて表面シート１１や裏面シート１２に接合されやすい。
【００５３】
或いは、中間シート１４は、ＰＥＴ（ポリエチレンテレフタレート、融点２６０度近辺）やレーヨン（融点無し）等の繊維からなるスパンレース不織布や、エアレイドパルプによって構成されていてもよい。
【００５４】
また、中間シート１４は、吸収体７と同様に、粉砕したパルプを積層することによって構成されていてもよいし、セルロース繊維を主とした抄紙された紙であってもよい。
【００５５】
ここで、本実施形態に係る吸収性物品１では、表面シート１１及び吸収体７、裏面シート１２及び中間シート１４、サイドシート１３及び中間シート１４は、ホットメルト型接着剤（ＨＭＡ：Ｈｏｔ  Ｍｅｌｔ  Ａｄｈｅｓｉｖｅ）等の接着剤によって接合されている。また、表面シート１１及び裏面シート１２を接合することによって、吸収体２を内封するように構成されていてもよい。
【００５６】
例えば、一方の基材（例えば、表面シート１１や裏面シート１２や吸収体７やサイドシート１３や中間シート１４）に対して、スパイラル塗工やコーター塗工やカーテンコータ塗工やサミットガン塗工等の塗工方法によってホットメルト型接着剤を塗工し、その上に伸縮材及び他方の基材を重ね合わせて接合してもよい。ここで、伸縮材が基材から外れにくくするために、予め伸縮材に対して、スリット塗工やコントロールシーム塗工等の塗工方法によって、ホットメルト型接着剤を塗工しておいてもよい。
【００５７】
ホットメルト型接着剤として、ＳＥＢＳ（スチレン-エチレン-ブタジエン-スチレンブロック共重合体）、ＳＢＳ（スチレン-ブタジエン-スチレンブロック共重合体）、ＳＩＳ（スチレン-イソプレン-スチレンブロック共重合体）等のゴム系や直鎖状低密度ポリエチレン等のオレフィン系を主体とした感圧型接着剤や感熱性接着剤、水溶性高分子からなるポリビニルアルコールやカルボキシメチルセルロースやゼラチン等、又は、水膨潤性高分子からなるポリビニルアセテートやポリアクリル酸ナトリウム等の感水性接着剤等が例として挙げられる。
【００５８】
その中でも、万が一、外面にホットメルト型接着剤が滲み出てしまったとしても、その時点ではタック性を有しない点から、感熱型接着剤を用いることが好ましい。例えば、ＳＥＢＳを５〜２５％、脂環族飽和炭化水素を４０〜６０％、芳香族変性テルペンを１〜１０％、添加剤を１５〜３０％で溶融混合したものを用いてもよい。
【００５９】
また、サイドシート１３及び表面シート１１は、ヒートエンボス加工によって接合されている。
【００６０】
また、これらの接合は、ホットメルト型接着剤等の接着剤やヒートエンボス加工や超音波等を単独で又は組み合わせて用いることによって実現されるように構成されていてもよい。
【００６１】
また、図２に示すように、吸収体本部３の非肌当接面側の表面には、吸収性物品１を下着に固定するために、粘着剤が塗布されている複数の粘着領域６が設けられている。ここで、複数の粘着領域６の各々は、製品長手方向Ｌに延びている。なお、複数の粘着領域６の各々は、製品幅方向Ｗに離間して設けられている。
【００６２】
また、図２に示すように、折り返しフラップ４０の各々の非肌当接面側の表面には、粘着剤が塗布されている複数の粘着領域９が設けられている。ここで、複数の粘着領域９の各々の製品幅方向Ｗの長さ及び位置関係は、複数の粘着領域８の各々の製品幅方向Ｗの長さ及び位置関係と同一である。
【００６３】
同様に、図２乃至図４に示すように、後方フラップ５０の非肌当接面側Ｓ２の表面には、粘着剤が塗布されている複数の粘着領域８が設けられている。ここで、複数の粘着領域８の各々は、製品長手方向Ｌに延びている。
【００６４】
なお、吸収性物品１には、かかる粘着領域８を覆うように構成されている離型紙（図示せず）が設けられている。例えば、かかる離型紙としては、ＰＥやＰＰ等のフィルム又は紙にコーティングが施されたフィルム等にシリコンをコーティングした素材が用いられる。
【００６５】
ここで、上述の粘着剤としては、例えば、熱可塑性高分子としてスチレン系ブロックポリマー、粘着付与剤樹脂として天然樹脂や合成樹脂系、可塑性材料としてパラフィン系オイル等を用いることができる。
【００６６】
スチレン系ブロックポリマーとしては、ＳＥＢＳ、ＳＢＳ、ＳＩＳ、ＳＥＰＳ（スチレン-エチレン-プロピレン-スチレン共重合体）等が挙げられる。また、合成樹脂としては、脂肪族系（Ｃ５系）石油樹脂、芳香族系（Ｃ９系）石油樹脂、共重合系石油樹脂、水素添加石油樹脂、ＤＣＰＤ系石油樹脂、ピュアーモノマー系石油樹脂等が挙げられる。さらに、天然樹脂としては、αピネン、βピネン又はジペンテンの共重合体であるテルペン系樹脂、ガムロジン、トール油ロジン又はウッドロジンであるロジン系樹脂、若しくは、これらの水添物やエステル等が挙げられる。また、可塑性材料は、粘度を下げるパラフィンオイル系、タック性を挙げるナフテンオイル、凝集力を下げたり色や匂いを付与したりするアロマオイル等が挙げられる。
【００６７】
また、上述の粘着剤の塗布坪量は、１０〜１００ｇ/ｍ２であり、好ましくは、２０〜５０ｇ/ｍ２である。ここで、粘着剤２３０/２４０の塗布坪量が、１０ｇ/ｍ２以下であると、吸収性物品１を下着にしっかりと貼り付けることができず、使用時に落ちたりずれたりしてしまい着用者に不快感を与えてしまう。一方、上述の粘着剤の塗布坪量が、１００ｇ/ｍ２以上であると、下着から吸収性物品１を剥がす際に、吸収性物品１が破れてしまい、下着を使いものにならなくしてしまう恐れがある。
【００６８】
図２及び図３に示すように、複数の粘着領域８には、製品長手方向Ｌの長さの異なる少なくとも２種類の粘着領域８１/８２が含まれている。
【００６９】
かかる特徴によれば、後方フラップ５０の形状に沿って粘着領域８を配置することができるため、後方フラップ５０上の粘着領域８の面積が大きくなり、吸収性物品１を下着に固定し易くなる。
【００７０】
例えば、図２及び図３に示すように、複数の粘着領域８のうち、粘着領域８１の製品長手方向Ｌにおける長さＬ１は、粘着領域８１よりも製品幅方向Ｗの外側に設けられている粘着領域８２の製品長手方向Ｌにおける長さＬ２よりも長くなるように構成されている。
【００７１】
かかる特徴によれば、後方フラップ５０は、上述の括れ部６１から製品長手方向Ｌの後方側Ｂに向かうに連れて製品幅方向Ｗに広がる形状を有しているため、粘着領域８１の製品長手方向Ｌにおける長さＬ１を粘着領域８２の製品長手方向Ｌにおける長さＬ２よりも長くすることで、より適切に、吸収性物品１を下着に固定することができる。
【００７２】
ここで、複数の粘着領域８の少なくとも２つは、製品幅方向Ｗに離間して設けられていてもよい。
【００７３】
かかる特徴によれば、吸収性物品１の装着時に、運動等によって下着が伸縮しても、複数の粘着領域８の少なくとも２つが製品幅方向Ｗに離間していることによって、吸収性物品１への影響を緩衝することができ、吸収性物品１がよれにくくなる。
【００７４】
図２に示すように、複数の粘着領域８は、後方フラップ５０において吸収性物品１を折り畳むための折り線１００が形成されている領域以外の領域に設けられていてもよい。
【００７５】
図２の例では、複数の粘着領域８は、かかる折り線１００よりも製品長手方向Ｌの前方側Ｆに設けられている。なお、複数の粘着領域８は、上述の折り線１００よりも製品長手方向Ｌの後方側Ｂにのみ設けられていてもよい。
【００７６】
かかる特徴によれば、複数の粘着領域８が、折り線１００が形成されている領域に配置されていない、また、折り線１００に対して製品長手方向Ｌに対称な位置に配置されていないため、後方フラップ５０の折り癖によって、複数の粘着領域８同士がくっついてしまう可能性が低くなり、吸収性物品１を下着に装着し易くなる。
【００７７】
また、図２に示すように、粘着領域８は、圧搾部２２/２３よりも、製品長手方向Ｌの後方側Ｂに配置されていてもよい。
【００７８】
かかる構成によれば、吸収性物品１が、着用者の両脚で挟まれた際に、後方フラップ５０の変形が、圧搾部２２/２３よりも製品長手方向Ｌの前方側Ｆに留まり易いので、下着に貼り付けられた粘着領域８が、よれ難くなり、下着から外れ難くなる。
【００７９】
粘着領域８２の目付は、粘着領域８１の目付よりも高くなるように構成されていてもよい。
【００８０】
かかる特徴によれば、粘着領域８２の面積は、粘着領域８１の面積よりも小さいが、粘着領域８２の目付を粘着領域８１の目付よりも高くすることで、粘着領域８２の下着に対する接着強度が向上し、吸収性物品１を下着から剥がれ難くすることができる。
【００８１】
また、吸収性本体３には、伸縮性を有する伸縮部材を備える一対のギャザー７０が、製品長手方向Ｌに沿って延びるように設けられている。
【００８２】
図４に示すように、一対のギャザー７０は、それぞれサイドシート１３によって形成されており、製品長手方向Ｌに延びるように形成された接合部７１ａによりサイドシート１４に接合されており、製品長手方向Ｌに延びるように形成された接合部７１ｂにより表面シート１１に接合されている。
【００８３】
一対のギャザー７０には、それぞれ複数の弾性部材７０ａが配置されている。複数の弾性部材７０ａは、サイドシート１３の表面又は内部に、製品長手方向Ｌに沿うように所定間隔を空けて配置されている。かかる弾性部材７０ａは、伸張状態でホットメルト型接着剤によってサイドシート１３に接合されている。
【００８４】
なお、弾性部材７０ａとしては、細長く伸び縮みする材料であればよく、天然ゴムからなる糸状ゴムや平ゴム等や、ウレタンやエチレン-酢酸ビニル共重合体（ＥＶＡ）やＰＥ等の熱可塑性エラストマー等を用いることができる。
【００８５】
ここで、図２に示すように、複数の粘着領域８のうちの少なくとも１つにおける製品長手方向Ｌの前方側端部８１Ｅは、ギャザー７０における製品長手方向Ｌの後方側端部よりも、製品長手方向Ｌの前方側Ｆに位置するように構成されていてもよい。
【００８６】
すなわち、複数の粘着領域８のうちの少なくとも１つにおける製品長手方向Ｌの前方側端部８１Ｅは、ギャザーの有効長Ｌｇ内に位置するように構成されている。
【００８７】
ここで、ギャザーの有効長Ｌｇは、吸収性物品１を平らな台の上に自然状態にして置いた際に、弾性部材７０ａが収縮してサイドシート１３に皺ができる範囲である。
【００８８】
かかる特徴によれば、ギャザー７０の収縮によって、後方フラップ５０が下着から離れてしまう可能性を低減することができる。
【００８９】
また、図２に示すように、後方フラップ５０に形成されている圧搾部６１〜６３は、上述の粘着領域８と重複しないように形成されていてもよい。
【００９０】
かかる特徴によれば、圧搾部２１〜２３への粘着領域８の配置に起因する糊残りの発生を回避することができる。
【００９１】
さらに、図２に示すように、複数の粘着領域８の中で製品幅方向Ｗの最も外側に配置されている粘着領域（図２の例では、粘着領域８２）は、後方フラップ部５０において製品幅方向Ｗにおける長さが最も長い部分である最大幅部９０の製品幅方向Ｗの内側に設けられていてもよい。
【００９２】
かかる特徴によれば、上述の最大幅部９０は、装着中に最もよれやすい部分であるが、かかる最大幅部９０に粘着領域８２を設けることで、装着中における最大幅部９０のよれを防止することができる。
【００９３】
また、図５に示すように、粘着領域８１の製品幅方向Ｗにおける長さＷ１は、粘着領域８２の製品幅方向Ｗにおける長さＷ２よりも長くなるように構成されていてもよい。
【００９４】
かかる特徴によれば、後方フラップ５０は、製品幅方向Ｗの外側に向かうに連れて製品長手方向Ｌの長さが短くなる形状を有しているため、粘着領域８１の製品幅方向Ｗにおける長さＷ１を粘着領域８２の製品幅方向Ｗにおける長さＷ２よりも長くすることで、粘着領域８の面積をより広くすることで、吸収性物品１を下着から剥がれ難くすることができる。
【００９５】
さらに、図６に示すように、複数の粘着領域８として、３種類以上の粘着領域８１〜８３が含まれていてもよい。
【００９６】
なお、図７に示すように、複数の粘着領域８は、上述の折り線１００に対して製品長手方向Ｌの両側に設けられていてもよい。図７の例では、粘着領域８１ａ/８２ａは、上述の折り線１００よりも製品長手方向Ｌの後方側Ｂに設けられており、粘着領域８１ａ/８２ａは、上述の折り線１００よりも製品長手方向Ｌの前方側Ｆに設けられている。
【００９７】
以下、本実施形態に係る吸収性物品１の製造方法について簡単に示す。
【００９８】
第１に、表面シート１１に、ギャザー７０を形成したサイドシート１３を接合した後、吸収体７を接合し、圧搾部５を形成する。
【００９９】
第２に、中間シート１４及び裏面シート１２を接合した後、圧搾部２１/２２/２３を形成する。
【０１００】
第３に、ノズルによってホットメルト型接着剤を剥離紙に塗布した後、かかるホットメルト型接着剤を、製品長手方向Ｌに沿って搬送されている吸収性物品１の非肌当接面側に転写することによって、それぞれ２列の粘着領域８/９を生成する。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０２】
１…吸収性物品
３…吸収体本体
５…圧搾部
７…吸収体
８、８１、８２…粘着領域
１１…表面シート
１２…裏面シート
１３…サイドシート
４０…折り返しフラップ
５０…後方フラップ
７０…ギャザー
１００…折り線
【図１】
2014223216.tif 000003
【図２】
2014223216.tif 000004
【図３】
2014223216.tif 000005
【図４】
2014223216.tif 000006
【図５】
2014223216.tif 000007
【図６】
2014223216.tif 000008
【図７】
2014223216.tif 000009